(57)【特許請求の範囲】
【請求項１】
画像を入力する画像入力手段と、
前記入力された画像を表示する画像表示手段と、
所定の用途に使用する使用画像の数量、又は前記入力された全画像の数量に対する使用画像の数量の割合の入力を受け付けて、前記使用画像の数量を設定する数量設定手段と、
前記設定された使用画像の数量に基づき、所定の条件に従って第１の使用画像を自動的に選択する第１の使用画像選択手段と、
前記入力された当初の画像の画像属性を未選択状態に設定し、前記第１の使用画像の画像属性を第１の選択状態に設定する画像属性設定手段と、
ユーザからの指示入力に基づいて第２の使用画像を選択する第２の使用画像選択手段と、
前記第１及び第２の使用画像の数量の和が前記設定された数量以下になるように、前記第１の使用画像の数量を変更する数量変更手段とを備え、
前記画像属性設定手段は、前記第２の使用画像の画像属性を第２の選択状態に設定することを特徴とする画像処理装置。
【請求項２】
前記所定の用途は、前記使用画像のプリント乃至プリント注文、所定の記録媒体への記録、所定のフォルダへのコピー乃至移動、又は前記使用画像を用いたコンテンツの作成のうち少なくとも１つであることを特徴とする請求項１記載の画像処理装置。
【請求項３】
前記第１の使用画像選択手段は、人物が検出された画像を優先して選択する人物画像優先、人物が検出されなかった画像、又は前記画像中において人物の占める割合が小さい画像を優先して選択する風景画像優先、撮影又は保存された日時が新しい画像を優先して選択する最新画像優先、又は撮影又は保存された日時が古い画像を優先して選択する古い画像優先のうち少なくとも１つの条件に基づいて、第１の使用画像を選択することを特徴とする請求項１又は２記載の画像処理装置。
【請求項４】
前記第１又は第２の使用画像に所定の操作を加える操作手段を更に備え、
前記画像属性設定手段は、前記所定の操作が加えられた前記第１又は第２の使用画像の画像属性を第１の使用画像選択手段によって選択されない非選択状態に設定することを特徴とする請求項１から３のいずれか１項記載の画像処理装置。
【請求項５】
前記画像属性設定手段は、前記所定の操作が加えられた前記非選択状態の画像の画像属性を未選択状態に設定することを特徴とする請求項４記載の画像処理装置。
【請求項６】
前記画像属性に応じて前記画像を区別可能に表示させる表示制御手段を更に備えることを特徴とする請求項１から５のいずれか１項記載の画像処理装置。
【請求項７】
前記表示制御手段は、前記画像属性に応じて前記画像に付される枠の色、形状、網がけ、下線、チェックボックス又は前記画像に付されるアイコンのうち少なくとも１つを相違させることを特徴とする請求項６記載の画像処理装置。
【請求項８】
（ａ）画像処理装置への画像の入力を受け付けるステップと、
（ｂ）前記入力された画像を前記画像処理装置の画像表示手段に表示するステップと、
（ｃ）前記画像処理装置が、所定の用途に使用する使用画像の数量、又は前記入力された全画像の数量に対する使用画像の数量の割合の入力を受け付けて、前記使用画像の数量を設定するステップと、
（ｄ）前記画像処理装置が、前記設定された数量に基づき、所定の条件に従って第１の使用画像を自動的に選択するステップと、
（ｅ）前記画像処理装置が、前記入力された当初の画像の画像属性を未選択状態に設定し、前記第１の使用画像の画像属性を第１の選択状態に設定するステップと、
（ｆ）前記画像処理装置が、ユーザからの指示入力に基づいて第２の使用画像を選択するステップと、
（ｇ）前記画像処理装置が、前記第１及び第２の使用画像の数量の和が前記ステップ（ｃ）において設定された数量以下になるように、前記第１の使用画像の数量を変更するステップと、
（ｈ）前記画像処理装置が、前記第２の使用画像の画像属性を第２の選択状態に設定するステップと、
を備えることを特徴とする画像処理方法。
【請求項９】
（ｉ）前記画像表示手段により、前記画像属性に応じて前記画像を区別可能に表示するステップを更に備えることを特徴とする請求項８記載の画像処理方法。
【請求項１０】
画像処理装置への画像の入力を受け付ける画像入力機能と、
前記入力された画像を前記画像処理装置の画像表示手段に表示する画像表示機能と、
前記画像処理装置により、所定の用途に使用する使用画像の数量、又は前記入力された全画像の数量に対する使用画像の数量の割合の入力を受け付けて、前記使用画像の数量を設定する数量設定機能と、
前記画像処理装置により、前記設定された数量に基づき、所定の条件に従って第１の使用画像を自動的に選択する第１の使用画像選択機能と、
前記画像処理装置により、前記入力された当初の画像の画像属性を未選択状態に設定し、前記第１の使用画像の画像属性を第１の選択状態に設定する第１の画像属性設定機能と、
前記画像処理装置により、ユーザからの指示入力に基づいて第２の使用画像を選択する第２の使用画像選択機能と、
前記画像処理装置により、前記第１及び第２の使用画像の数量の和が前記設定された数量以下になるように、前記第１の使用画像の数量を変更する数量変更機能と、
前記画像処理装置により、前記第２の使用画像の画像属性を第２の選択状態に設定する第２の画像属性設定機能と、
をコンピュータに実現させることを特徴とする画像処理プログラム。
【請求項１１】
前記画像処理装置により、前記画像属性に応じて前記画像を区別可能に表示させる表示制御機能をコンピュータに実現させることを特徴とする請求項１０記載の画像処理プログラム。
【発明の詳細な説明】
【技術分野】
【０００１】
本発明は画像処理装置、画像処理方法及び画像処理プログラムに係り、特に所望の画像を選択するのに適した画像処理装置、画像処理方法及び画像処理プログラムに関する。
【背景技術】
【０００２】
近年、電子的に画像を撮像する撮像装置（電子カメラ）が普及している。このような電子カメラでは、携行性に優れ、大量の画像を撮像できる機種が開発されており、ユーザは気軽に画像を撮像することができる。このように、気軽に撮像が行われた結果、ユーザのパーソナルコンピュータ（ＰＣ）等の画像を記録する装置には画像が大量に蓄積される。このため、ユーザは、保存又はプリントする画像を選択するのが困難になるという問題があった。
【０００３】
上記のような問題を解決するため、画像を自動的に分類する技術が提案されている。例えば、特許文献１には、複数の画像データから抽出された特徴量について各画像データの関連性を評価し、この評価結果を基に各画像データの特徴量によって表現される事象に対するクラスタリングを行って、画像データを分類する画像データ分類装置について開示されている。また、特許文献２には、撮像画像を電気的に表現される画像データに変換して記録し、複数枚の画像データをカテゴリ毎にグループ分類し、管理する電子アルバム装置について開示されている。
【特許文献１】特開２００１−２５６２４４号公報
【特許文献２】特開２００３−１９９０２８号公報
【発明の開示】
【発明が解決しようとする課題】
【０００４】
しかしながら、上記の特許文献１及び２に開示された技術は、単に画像を自動的に分類するものであって、分類された画像を効果的に提示するものではなかった。また、ユーザが所定の用途に使用（例えば、プリントする画像）を容易に選択可能なＧＵＩ（Graphical User Interface）を提供できるものではなかった。
【０００５】
本発明はこのような事情に鑑みてなされたもので、蓄積された画像の中からユーザが所定の用途に使用する画像を容易に選択することができる画像処理装置、画像処理方法及び画像処理プログラムを提供することを目的とする。
【課題を解決するための手段】
【０００６】
上記目的を達成するために、本発明の第１の態様に係る画像処理装置は、画像を入力する画像入力手段と、前記入力された画像を表示する画像表示手段と、所定の用途に使用する使用画像の数量、又は前記入力された全画像の数量に対する使用画像の数量の割合の入力を受け付けて、前記使用画像の数量を設定する数量設定手段と、前記設定された使用画像の数量に基づき、所定の条件に従って第１の使用画像を自動的に選択する第１の使用画像選択手段と、前記入力された当初の画像の画像属性を未選択状態に設定し、前記第１の使用画像の画像属性を第１の選択状態に設定する画像属性設定手段と、ユーザからの指示入力に基づいて第２の使用画像を選択する第２の使用画像選択手段と、前記第１及び第２の使用画像の数量の和が前記設定された数量以下になるように、前記第１の使用画像の数量を変更する数量変更手段とを備え、前記画像属性設定手段は、前記第２の使用画像の画像属性を第２の選択状態に設定することを特徴とする。
【０００７】
上記第１の態様に係る画像処理装置によれば、入力された画像の中からユーザが指定した枚数分の所定の用途に使用する使用画像を自動的に選択することができる。
上記第１の態様に係る画像処理装置によれば、ユーザは画像をマウス等のポインティングデバイスを用いて手動で使用画像を選択できる。さらに、自動的に使用画像が選択されたのちに手動による選択が行われた場合、第１及び第２の使用画像の和（合計枚数）が予め指定された枚数以下に収まるように、第１の使用画像の枚数を減らすことができる。ここで、第１の使用画像を減らす際には、例えば、第１の使用画像を上記条件（第３の態様参照）に基づいて順位付けしておき、この順位が低いものから選択を解除するとよい。また、この順位付けは、例えば、フォーカスや明るさ、コントラスト、シャープネス、手ブレ等の画像の状態がよい順番に基づいてなされるようにしてもよい。
【０００８】
本発明の第２の態様に係る画像処理装置は、上記第１の態様において、前記所定の用途は、前記使用画像のプリント乃至プリント注文、所定の記録媒体への記録、所定のフォルダへのコピー乃至移動、又は前記使用画像を用いたコンテンツの作成のうち少なくとも１つであることを特徴とする。第２の態様は、上記第１の態様の所定の用途を限定したものである。
【０００９】
本発明の第３の態様に係る画像処理装置は、上記第１又は第２の態様において、前記第１の使用画像選択手段は、人物が検出された画像を優先して選択する人物画像優先、人物が検出されなかった画像、又は前記画像中において人物の占める割合が小さい画像を優先して選択する風景画像優先、撮影又は保存された日時が新しい画像を優先して選択する最新画像優先、又は撮影又は保存された日時が古い画像を優先して選択する古い画像優先のうち少なくとも１つの条件に基づいて、第１の使用画像を選択することを特徴とする。第３の態様は、上記の第１の使用候補画像選択手段が第１の使用画像を選択する際の基準となる条件について列挙したものである。
【００１２】
本発明の第４の態様に係る画像処理装置は、上記第１から第３の態様において、前記第１又は第２の使用画像に所定の操作を加える操作手段を更に備え、前記画像属性設定手段は、前記所定の操作が加えられた前記第１又は第２の使用画像の画像属性を第１の使用画像選択手段によって選択されない非選択状態に設定することを特徴とする。
【００１３】
上記第４の態様に係る画像処理装置によれば、例えば、自動的に選択された使用画像が気に入らない場合に、ユーザは自動選択を再び実行した際に気に入らない画像が選択されないようにすることができる。
【００１４】
本発明の第５の態様に係る画像処理装置は、上記第４の態様において、前記画像属性設定手段は、前記所定の操作が加えられた前記非選択状態の画像の画像属性を未選択状態に設定することを特徴とする。
【００１５】
上記第５の態様に係る画像処理装置によれば、画像属性を非選択状態から未選択状態に変更することができる。
【００１６】
本発明の第６の態様に係る画像処理装置は、上記第１から第５の態様において、前記画像属性に応じて前記画像を区別可能に表示させる表示制御手段を更に備えることを特徴とする。
【００１７】
上記第６の態様に係る画像処理装置によれば、ユーザは、画像属性（選択状態）を視覚的に区別することができる。
【００１８】
本発明の第７の態様に係る画像処理装置は、上記第６の態様において、前記表示制御手段は、前記画像属性に応じて前記画像に付される枠の色、形状、網がけ、下線、チェックボックス又は前記画像に付されるアイコンのうち少なくとも１つを相違させることを特徴とする。第７の態様は、第６の態様における画像属性を区別可能な表示の態様を限定したものである。
【００１９】
本発明の第８の態様に係る画像処理方法は、（ａ）画像処理装置への画像の入力を受け付けるステップと、（ｂ）前記入力された画像を前記画像処理装置の画像表示手段に表示するステップと、（ｃ）前記画像処理装置が、所定の用途に使用する使用画像の数量、又は前記入力された全画像の数量に対する使用画像の数量の割合の入力を受け付けて、前記使用画像の数量を設定するステップと、（ｄ）前記画像処理装置が、前記設定された数量に基づき、所定の条件に従って第１の使用画像を自動的に選択するステップと、（ｅ）前記画像処理装置が、前記入力された当初の画像の画像属性を未選択状態に設定し、前記第１の使用画像の画像属性を第１の選択状態に設定するステップと、（ｆ）前記画像処理装置が、ユーザからの指示入力に基づいて第２の使用画像を選択するステップと、（ｇ）前記画像処理装置が、前記第１及び第２の使用画像の数量の和が前記ステップ（ｃ）において設定された数量以下になるように、前記第１の使用画像の数量を変更するステップと、（ｈ）前記画像処理装置が、前記第２の使用画像の画像属性を第２の選択状態に設定するステップとを備えることを特徴とする。
【００２１】
本発明の第９の態様に係る画像処理方法は、上記第８の態様において、（ｉ）前記画像表示手段により、前記画像属性に応じて前記画像を区別可能に表示するステップを更に備えることを特徴とする。
【００２２】
本発明の第１０の態様に係る画像処理プログラムは、画像処理装置への画像の入力を受け付ける画像入力機能と、前記入力された画像を前記画像処理装置の画像表示手段に表示する画像表示機能と、前記画像処理装置により、所定の用途に使用する使用画像の数量、又は前記入力された全画像の数量に対する使用画像の数量の割合の入力を受け付けて、前記使用画像の数量を設定する数量設定機能と、前記画像処理装置により、前記設定された数量に基づき、所定の条件に従って第１の使用画像を自動的に選択する第１の使用画像選択機能と、前記画像処理装置により、前記入力された当初の画像の画像属性を未選択状態に設定し、前記第１の使用画像の画像属性を第１の選択状態に設定する第１の画像属性設定機能と、前記画像処理装置により、ユーザからの指示入力に基づいて第２の使用画像を選択する第２の使用画像選択機能と、前記画像処理装置により、前記第１及び第２の使用画像の数量の和が前記設定された数量以下になるように、前記第１の使用画像の数量を変更する数量変更機能と、前記画像処理装置により、前記第２の使用画像の画像属性を第２の選択状態に設定する第２の画像属性設定機能とをコンピュータに実現させることを特徴とする。
【００２４】
本発明の第１１の態様に係る画像処理プログラムは、上記第１０の態様において、前記画像処理装置により、前記画像属性に応じて前記画像を区別可能に表示させる表示制御機能をコンピュータに実現させることを特徴とする。
【００２５】
上記の態様に係る画像処理プログラムを含むソフトウェアやファームウェアをパーソナルコンピュータ（ＰＣ）のほか、ビデオ再生装置（ビデオデッキ、テレビ）やデジタルカメラ、携帯情報端末（ＰＤＡ）、携帯フォトプレーヤー、携帯電話等の画像再生機能を有する装置に適用することにより、本発明の画像処理装置及び画像処理方法を実現することができる。
【発明の効果】
【００２６】
本発明によれば、入力された画像の中からユーザが指定した枚数分の使用画像を自動的に選択することができる。また、本実施形態によれば、ユーザによって予め指定された枚数の範囲内に収まるように、使用画像を手動により追加することが容易である。
【発明を実施するための最良の形態】
【００２７】
以下、添付図面に従って本発明に係る画像処理装置、画像処理方法及び画像処理プログラムの好ましい実施の形態について説明する。
【００２８】
図１は、本発明の一実施形態に係る画像処理装置の主要構成を示すブロック図である。この画像処理装置１０は、例えば、パーソナルコンピュータ（ＰＣ）等から構成されており、画像の分類や補正処理、プリント注文等を行うための装置である。同図に示すように、中央処理装置（ＣＰＵ）１２は、バス１４を介して画像処理装置１０内の各ブロックに接続されており、各ブロックの動作を制御する。主メモリ１６は、制御プログラムが格納される記憶領域や、プログラム実行時の作業領域を含んでいる。ハードディスク装置１８には、画像処理装置１０のオペレーティングシステム（ＯＳ）や、本発明に係る画像処理プログラム、各種のアプリケーションソフト等が格納される。ＣＤ−ＲＯＭ装置２０は、図示せぬＣＤ−ＲＯＭからのデータの読み込みを行う。本発明に係る画像処理プログラムは、当該画像処理プログラムが記録されたＣＤ−ＲＯＭをＣＤ−ＲＯＭ装置２０にセットすることにより画像処理装置１０にインストールすることができる。カードインターフェース部（カードＩ／Ｆ）２２は、メモリカード２４から画像データを読み取る。表示メモリ２６は、表示用データを一時記憶する。モニタ装置２８は、例えば、ＣＲＴ（Cathode Ray Tube）モニタや液晶モニタであり、この表示メモリ２６から出力される画像データ、文字データ等に基づいて画像や文字等を表示する。キーボード３０及びマウス３２は、操作者からの操作入力を受け付けて、操作入力に応じた信号をＣＰＵ１２に入力する。マウスコントローラ３４は、マウス３２の状態を検出してモニタ装置２８上のマウスポインタの位置や、マウス３２の状態等の信号をＣＰＵ１２に出力する。通信インターフェース部（通信Ｉ／Ｆ）３６は、ネットワーク３８との通信を行う。カメラ接続インターフェース部（Ｉ／Ｆ）４０は、撮像装置（電子カメラ、デジタルカメラ）４２と通信を行う。
【００２９】
なお、図１の画像処理装置１０では、ポインティングデバイスとしてマウス３２のほか、タッチパネルやタッチパッド等を用いることができる。
【００３０】
以下、画像処理の流れについて、図２以降を参照して説明する。図２は、基本画面を示す図である。同図に示す基本画面５０は、主としてプリント画像を選択する際のＧＵＩ（Graphical User Interface）として用いられるもので、メニュー欄５２、フォルダ・カテゴリ欄５４、サムネイル表示欄５６、画像選択欄５８、及びプリントおすすめ欄６０を有している。図中の符号６２は、本発明の画像処理プログラムの名称等を表示するタイトルバーであり、画面を最小化（アイコン化）する最小化ボタン、画面を最大化する最大化ボタン、及び画像処理プログラムを終了する終了ボタン等を備える。なお、このタイトルバー６２の構成は、画像処理装置１０を構成するＰＣのオペレーションシステム（ＯＳ）により異なっていてもよい。
【００３１】
メニュー欄５２には、別の画面に移行するためのメニューボタンが表示される。同図では、メニューボタンとして、基本画面に移行するための基本画面ボタン６４、ネットプリント画面に移行するためのネットプリント画面ボタン６６、アルバムプリント画面に移行するためのアルバムプリント画面ボタン６８、カレンダープリント画面に移行するためのカレンダープリント画面ボタン７０、画像のスライドショーに移行するためのスライドショーボタン７２、フォトＤＶＤ作成画面に移行するためのフォトＤＶＤ作成画面ボタン７４が図示されており、基本画面６０の表示時には基本画面ボタン６４が強調表示される。この強調表示では、例えば、基本画面ボタン６４やその枠の色が他のメニューボタンと異なる色に変更される。なお、移行先の各画面の構成については後述する。
【００３２】
フォルダ・カテゴリ欄５４には画像が格納されるフォルダのアイコン（フォルダアイコン）７６が表示される。なお、同図において、フォルダアイコン７６Ａは過去にプリント注文が行われた画像を含まないフォルダを示し、フォルダアイコン７６Ｂは過去にプリント注文が行われた画像を含むフォルダを示す。これにより、画像が大量に蓄積されている場合であっても、ユーザはプリント未注文のフォルダを容易に認識できる。
【００３３】
上記のフォルダアイコン７６がマウス３２によってクリックされるか、キーボード３０からの操作入力により指示されると、符号７６Ｃに示すようにフォルダアイコンの形状が変化してフォルダが選択されたことが表示され、選択されたフォルダ（以下の説明では、選択フォルダと記載する）内の画像のサムネイル画像７８がサムネイル表示欄５６に表示される。このとき、選択フォルダ内の画像は、画像データの日時情報（撮像日時や更新、保存日時）や、撮像場所の場所情報（ＧＰＳ情報；Global Positioning System）に基づいて自動的に分類されて所定のカテゴリに振り分けられて表示される。なお、上記の日時情報やＧＰＳ情報は、例えば、画像データのＥＸＩＦ（Exchangeable Image File Format）タグに含まれる情報から取得される。
【００３４】
ここで、日時情報に基づいて画像が分類される場合には、選択フォルダ内の画像は所定の時間間隔（例えば、１５分、３０分、１時間）ごとに異なるカテゴリに振り分けられる。このとき、画像が振り分けられるカテゴリの名称（カテゴリ名）は撮像日時を示す文字列に設定される。例えば、２００４年８月１４日の１３時００分から所定の時間（例えば、１５分）内に撮像された画像は、カテゴリ「2004.08.14_1300」となる。なお、撮像された画像の枚数が多い時間帯は短い時間間隔（例えば、１５分ごと）で、画像の枚数が少ない時間帯は長い時間間隔（例えば、１時間ごと）で画像が分類されるようにしてもよい。また、このカテゴリは、例えば、１時間ごとのカテゴリの下の階層に１５分ごとのカテゴリを設けた階層構造としてもよい。
【００３５】
また、場所情報に基づいて画像が分類される場合には、選択フォルダ内の画像は撮像された場所ごとに異なるカテゴリに振り分けられ、画像が振り分けられるカテゴリの名称は当該場所情報を示す文字列に設定される。
【００３６】
なお、選択フォルダ内の画像は、例えば、所定の枚数（例えば、１０枚、２０枚）ごとに異なるカテゴリに振り分けられるようにしてもよい。また、画像解析により、例えば、同じ被写体（建造物、人物等）が検出された画像や、画像の差分、色合い等に基づいて、互いに類似していると判断された画像を同じカテゴリに分類するようにしてもよい。さらに、これらのカテゴリ分類の条件を組み合わせて用いてもよい。すなわち、例えば、最上位のカテゴリ分類は場所情報に基づいて行われ、その次に上位のカテゴリ分類は日時情報に基づいて行われるようにしてもよい。
【００３７】
また、選択フォルダ内の画像は、例えば、その画像のイベント情報に応じて分類されるようにしてもよい。イベント情報とは、例えば、画像のタグに記載された画像の撮影場面（例えば、「北海道旅行」）等を示す情報である。イベント情報は、例えば、文字情報、符号等としてタグに含まれる情報であって、撮影時に撮像装置により又は本実施形態の画像処理装置１０によって手動又は自動で入力することができる。また、イベント情報は、画像のタグ情報の組み合わせであってもよい。イベント情報としては、例えば、画像に含まれる場所情報と時間情報の組み合わせを用いることができる。例えば、所定の範囲内の場所で所定の範囲内の時間に撮影された画像が同一のイベント情報を有するものとして扱われ、具体的には、○○年○月○日から○日間の間に北海道の○○市内で撮影された画像が同一のイベントとして扱われる。これにより、画像をイベント情報ごとに自動的に分類することができる。また、上記のようなイベント情報は、画像中に文字又は画像として合成できるようにしてもよい。
【００３８】
こうして生成されるカテゴリは階層構造を有しており、フォルダ・カテゴリ欄５４にはこのカテゴリのアイコン（カテゴリアイコン）８０がツリー状に表示されるとともに、サムネイル表示欄５６にはサムネイル画像７８がカテゴリ別に表示される。このカテゴリアイコン８０は、カテゴリ内の画像の数に応じて異なっている。同図において、カテゴリアイコン８０は複数の矩形が重なり合った形状であり、カテゴリ内の画像の枚数が多いほど重なる矩形の数が多くなっている。
【００３９】
フォルダ・カテゴリ欄５４において、このカテゴリアイコン８０がマウス３２によりクリック（シングルクリック）されると、サムネイル表示欄５６において選択されたカテゴリの先頭が表示されるように、サムネイル画像７８の表示がスクロールされる。
【００４０】
サムネイル表示欄５６では、サムネイル画像７８がカテゴリ名（見出し）又はカテゴリ名ごとに異なるアイコン（例えば、カテゴリの分類基準ごとに異なるアイコン）とともに表示され、フォルダ又はカテゴリの階層ごとにライン８４により区切られている。このライン８４は、例えば、最上位のカテゴリ間では実線、第２位の階層の間では点線等のように、区切られるカテゴリの階層ごとに異なる形状となっている。また、ライン８４としては、適当な形状（例えば、棒状）の画像を用いることもできる。ユーザは、メニュー欄５２のサムネイル画像サイズ調整スイッチ８６のスライダ８６Ａをドラッグすることで、サムネイル表示欄５６に表示されたサムネイル画像７８のサイズを調整することができる。
【００４１】
なお、上記のフォルダ・カテゴリ欄５４及びサムネイル表示欄５６には、必要に応じてスクロールバー８２が表示される。ユーザは、このスクロールバー８２中のスクロールバースライダ８２Ａをマウス３２によりドラッグすることで、フォルダアイコン７６やサムネイル画像７８を閲覧することができる。
【００４２】
また、基本画面５０のサムネイル表示欄５６において、サムネイル画像７８がマウス３２によりダブルクリックされると、図３に示すように拡大表示画面８８に移行する。同図に示す拡大表示画面８８は、ダブルクリックされたサムネイル画像７８に対応する画像９０が拡大表示される拡大表示欄９２を備えており、ユーザは画像９０の細部を見ることができる。この画像９０がマウス３２によりダブルクリックされると、基本画面５０に再び移行する。この拡大表示画面８８において、図中の符号９４はコマ送りボタンである。ユーザは、このコマ送りボタン９４をマウス３２によりクリックすることで、選択フォルダ内の画像を拡大表示欄９２に順次表示させることができる。なお、この拡大表示画面８８において、メニュー欄５２、フォルダ・カテゴリ欄５４、及びタイトルバー６２は、上記の基本画面と同様である。
【００４３】
また、本実施形態の画像処理装置１０は、画像を自動的に解析して、フォーカスや明るさ、コントラスト、シャープネス、手ブレ等の状態を検出して、画像の補正処理を行った方がよいかどうかを判断する。そして、補正を行った方がよいと判断された画像には、基本画面５０のサムネイル表示欄５６においてサムネイル画像７８の近傍に補正おすすめマーク９６が付される。この補正おすすめマーク９６がマウス３２によりクリックされると、図４に示す画像補正画面９８に移行する。この画像補正画面９８は、メニュー欄５２、タイトルバー６２、及び画像補正欄１００を備える。画像補正欄１００には、補正おすすめマーク９６が付された画像１０２Ａと、画像１０２Ａを補正した後の画像１０２Ｂが並べて拡大表示される。そして、図中の上書き保存ボタン１０４がマウス３２によりクリックされると、補正後の画像１０２Ｂが元の画像に上書き保存されて基本画面５０に再び移行する。また、別名で保存ボタン１０６がクリックされると、補正後の画像１０２Ｂが別の画像ファイルとして保存されて基本画面５０に再び移行して、元のサムネイル画像７８の補正おすすめマーク９６は表示されなくなる。また、キャンセルボタン１０８がクリックされた場合には、画像の補正は行われずに基本画面５０に再び移行して、基本画面５０においてサムネイル画像７８の補正おすすめマーク９６は表示されたままとなる。また、今後補正おすすめしないボタン１１０がクリックされた場合には、画像の補正は行われずに基本画面５０に再び移行して、基本画面５０においてサムネイル画像７８の補正おすすめマーク９６は表示されなくなる。
【００４４】
画像選択欄５８には、プリント注文する画像を選択する際に使用される操作部材が表示される。プリントおすすめ欄６０には、画像処理装置１０によって自動的に選択されたプリントおすすめ画像が表示される。なお、この画像選択欄５８及びプリントおすすめ欄６０については後述する。
【００４５】
ここで、画像をカテゴリに分類する際の処理の流れについて、図５を参照して説明する。図５は、画像をカテゴリに分類する際の処理の流れを示すフローチャートである。まず、フォルダアイコン７６がマウス３２によってクリックされるか、キーボード３０からの操作入力により指示されてフォルダが選択される（ステップＳ１０）。すると、選択フォルダ内に格納されている画像から、日時情報やＧＰＳ情報が取得される（ステップＳ１２）。次に、この日時情報やＧＰＳ情報、枚数に基づいて選択フォルダ内の画像がカテゴリに分類される（ステップＳ１４）。そして、フォルダ・カテゴリ欄５４にはこのカテゴリのアイコン（カテゴリアイコン）８０がツリー状に表示されるとともに、サムネイル表示欄５６にはサムネイル画像７８がカテゴリ別に表示される（ステップＳ１６）。
【００４６】
本実施形態によれば、選択フォルダ内の画像がその日時情報や場所情報に基づいて自動的に分類されて、日時や撮像場所の位置の名称が付されたカテゴリに振り分けられて表示される。これにより、ユーザは、画像の閲覧や、保存又はプリントする画像の選択を容易に行うことができる。
【００４７】
なお、上記図５に示す画像の分類処理は、フォルダアイコン７６が選択される都度行われるようにしてもよいが、いったん画像の分類が行われたフォルダについてはカテゴリ分類の結果を保存しておき、再度の分類は行わないようにしてもよい。また、いったん画像の分類が行われたフォルダに画像が追加された場合には、再度分類するようにしてもよいし、既存のカテゴリに分類するようにしてもよいし、また、追加された画像を既存のカテゴリとは別の新規のカテゴリに分類するようにしてもよい。
【００４８】
なお、図２において、ユーザは、カテゴリアイコン８０の右側に表示されているカテゴリ名をマウス３２によりクリック（シングルクリック）して選択することで、キーボード３０を用いてカテゴリ名を任意に変更することができる。また、フォルダ名についても同様に変更することができる。
【００４９】
また、図６に示すように、ユーザは、サムネイル表示欄５６においてサムネイル画像７８をマウス３２によりドラッグすることにより、上記のようにして自動的に分類された画像を別のカテゴリに移動することができる。
【００５０】
また、カテゴリアイコン８０又はカテゴリ名がマウス３２により右クリックされると、カテゴリの追加や削除、移動を行うためのメニューが表示される。マウス３２によりこのメニューからカテゴリの追加メニューが選択されると、選択されたカテゴリの下に新規のカテゴリが作成される。また、マウス３２によりこのメニューからカテゴリの削除メニューが選択されると、選択されたカテゴリが削除される。このとき、削除されるカテゴリ内の画像やカテゴリ（サブカテゴリ）はすべて削除される。また、マウス３２によりこのメニューからカテゴリの移動メニューが選択されると、移動先を指定するための画面が表示される。そして、移動先のフォルダ又はカテゴリが指定されると、カテゴリが指定されたフォルダ又はカテゴリに移動する。
【００５１】
次に、プリント注文する画像を選択する手順について、図７及び図８を参照して説明する。図７は、基本画面５０の画像選択欄５８を説明するための図である。同図に示すように、画像選択欄５８には、選択フォルダ名欄１１２、枚数指定欄１１４、割合指定欄１１６、条件指定欄１１８、及び自動選択ボタン１２０が配置されている。
【００５２】
選択フォルダ名欄１１２には、フォルダ・カテゴリ欄５４においてフォルダアイコン７６が選択された際に、選択フォルダのフォルダ名（例えば、「北海道旅行」）が表示される。そして、自動選択ボタン１２０がマウス３２によりクリックされると、選択フォルダの中からプリント注文する候補となる画像（プリント候補画像）が画像処理装置１０によって自動的に選択される。上記のようにして自動選択が実行されると、図７に示すように自動選択されたプリント候補画像のサムネイル画像７８に青枠（ｂｌｕｅ）が表示される。また、自動選択されたプリント候補画像の枚数は、フォルダ・カテゴリ欄５４のカテゴリアイコン８０内又はカテゴリ名の近傍に表示される。なお、プリント候補画像の枚数は、サムネイル表示欄５６のカテゴリ名の近傍や各カテゴリの末尾に表示されるようにしてもよい。
【００５３】
ユーザは、キーボード３０により枚数指定欄１１４に自動選択されるプリント候補画像の枚数を入力して指定することができる。また、ユーザは、マウス３２により割合指定欄１１６のスライダをスライドさせることで、フォルダ内の全画像の枚数に対する自動選択されるプリント候補画像の枚数の割合を指定することができる。
【００５４】
さらに、ユーザは、条件指定欄１１８を用いてプリント候補画像を自動選択する際の条件（自動選択条件）を指定することができる。ここで、自動選択条件は、例えば、人物画像優先、特定人物優先、風景画像優先、最新画像優先、古い画像優先、選択フォルダ又は選択カテゴリに含まれる画像優先、非選択フォルダ又は非選択カテゴリに含まれる画像優先等であり、それぞれの条件に付されたチェックボックスをマウス３２によりクリックすることで指定することができる。なお、図７では、自動選択条件は人物画像優先のみが図示されている。
【００５５】
以下、各自動選択条件について説明する。人物画像優先のチェックボックスがオンになっている場合には、自動選択の実行時に選択フォルダ内の画像が画像処理装置１０によって解析され、人物が検出された画像が優先して（例えば、人物の数が多い順に）選択される。特定人物優先のチェックボックスがオンになっている場合には、自動選択の実行時に選択フォルダ内の画像が画像処理装置１０によって解析され、画像処理装置１０に予め画像が登録された人物（例えば、ユーザ自身や家族、友人等）が検出された画像が優先して選択される。風景画像優先のチェックボックスがオンになっている場合には、自動選択の実行時に選択フォルダ内の画像が画像処理装置１０によって解析され、例えば、人物が検出されなかった画像や、人物に対して背景（風景）の占める割合（面積）が大きい画像が優先して選択される。最新画像優先又は古い画像優先のチェックボックスがオンになっている場合には、自動選択の実行時に画像の日時情報に基づいて画像が新しい順又は古い順に選択される。選択フォルダ又は選択カテゴリに含まれる画像優先のチェックボックスがオンになっている場合には、自動選択の実行時に、フォルダ・カテゴリ欄５４において選択されているフォルダ又はカテゴリ内の画像が優先的に選択される。非選択フォルダ又は非選択カテゴリに含まれる画像優先のチェックボックスがオンになっている場合には、自動選択の実行時に、フォルダ・カテゴリ欄５４において選択されていないフォルダ又はカテゴリ内の画像が優先的に選択される。
【００５６】
なお、ユーザは、マウス３２によりサムネイル画像７８をクリックすることで、プリント候補画像を直接選択することもできる。ユーザによって直接選択されたプリント候補画像のサムネイル画像７８には赤枠（ｒｅｄ）が表示される。ユーザによってプリント候補画像が直接選択された場合、ユーザによって選択されたプリント候補画像の枚数と、自動選択された枚数が合算されてフォルダ・カテゴリ欄５４のカテゴリアイコン８０に表示される。
【００５７】
図８は、サムネイル画像７８の選択状態を模式的に示す図である。上述のように、ユーザによって自動選択も手動選択もされていない未選択状態のサムネイル画像７８が手動で選択された場合には、サムネイル画像７８の周りに赤枠が表示される。一方、画像処理装置１０によってプリント候補画像が自動的に選択された場合には、サムネイル画像７８の周りに青枠が表示される。上記の赤枠又は青枠で囲まれたサムネイル画像７８がさらにクリックされると、サムネイル画像７８が非選択状態になる。この非選択状態のサムネイル画像７８は、例えば、網がけ加工、又は灰色がかった色に加工されて、上記の自動選択の対象から除外される。さらに、非選択状態のサムネイル画像７８がクリックされると未選択状態に戻る。
【００５８】
本実施形態によれば、所望の自動選択条件や枚数、割合を指定することにより、プリント候補画像を自動的に選択することができる。また、画像処理装置１０によって自動選択されたプリント候補画像と、手動選択されたプリント候補画像を枠色等により識別することができる。
【００５９】
さらに、本実施形態によれば、カテゴリアイコン８０等に各カテゴリにおいて自動又は手動により選択されたプリント候補画像の枚数が表示される。ユーザは、この枚数を参照することにより、各カテゴリからまんべんなくプリント候補画像が選択されるように調整できる。換言すれば、特定のカテゴリからプリント候補画像が選択されないということが生じないようにすることができる。
【００６０】
なお、画像の選択状態を示す手段は、上記の青枠や赤枠、網がけに限定されるものではない。例えば、サムネイル画像７８に網がけや下線、チェックボックス、選択状態に応じて色や形状が変化するアイコン等を付してもよいし、サムネイル画像７８の近傍にファイル名を付してその色や、ファイル名に網がけ、下線等を付すことにより画像の選択状態を示すようにしてもよい。
【００６１】
なお、上記の例において、自動的にプリント候補画像が選択されたのちに手動による選択が行われた場合、プリント候補画像の合計枚数が予め指定された枚数以下に収まるように自動選択されたプリント候補画像の枚数を減らすようにするとよい。ここで、自動選択されたプリント候補画像を減らす際には、例えば、自動選択されたプリント候補画像を上記の自動選択条件に基づいて順位付けしておき、この順位が低いものから選択が解除されるようにするとよい。この順位付けは、例えば、人物画像優先の場合には、写っている人物の人数が多い順番や、画像において人物の占める割合（面積）が大きい順番、特定人物優先の場合には、画像において指定された特定人物の占める割合（面積）が大きい順番、風景画像優先の場合には、画像において背景の占める割合（面積）が大きい順番、最新画像優先又は古い画像優先の場合には、それぞれ画像が新しい又は古い順番に基づいてなされる。また、この順位付けは、例えば、フォーカスや明るさ、コントラスト、シャープネス、手ブレ等の画像の状態がよい順番に基づいてなされるようにしてもよい。
【００６２】
次に、プリントおすすめ欄６０について、図７を参照して説明する。図７に示すように、プリントおすすめ欄６０には、選択フォルダ及び選択フォルダ以外のフォルダ（その他のフォルダ）内の画像の中から、画像処理装置１０によって自動的に選択されたプリントおすすめ画像（各々１２２及び１２４）が表示される。なお、選択フォルダから自動選択されるプリントおすすめ画像１２２は、選択フォルダ内の画像のうち自動選択及び手動選択されていない（すなわち、青枠や赤枠が付されていない）画像の中から選択される。このプリントおすすめ画像１２２及び１２４としては、例えば、各フォルダ内の画像解析により、選択フォルダ内の画像において撮像された回数（登場回数）の多い被写体（例えば、人物や建造物）を含む画像や、被写体の人物の表情に特徴がある画像が選択されて、フォーカスや明るさ、コントラスト、シャープネス、手ブレ等の画像の状態がよい順番にプリントおすすめ欄６０に表示される。ここで、表情に特徴のある画像とは、例えば、かわいい（笑顔）、泣き顔、怒った顔、正面を向いた顔等であり、例えば、目尻や口角の位置、歯の出具合等によって検出される。また、予め画像が登録された人物（例えば、ユーザ自身や家族、友人等）以外で登場回数が多い（写っている画像の枚数が多い）人物が写っている画像がプリントおすすめ欄６０に表示されるようにしてもよい。
【００６３】
なお、図７では、プリントおすすめ画像１２２及び１２４は１枚ずつ表示されているが、例えば、状態が良い順に複数枚表示されるようにしてもよい。また、プリントおすすめ欄６０に表示されるプリントおすすめ画像１２２及び１２４の枚数は、例えば、上記の枚数指定欄１１４や割合指定欄１１６等の操作部材により調整できるようになっていてもよい。
【００６４】
このプリントおすすめ画像１２２又は１２４がマウス３２によりクリックされると、クリックされたプリントおすすめ画像（１２２又は１２４）が見えるように、フォルダ・カテゴリ欄５４及びサムネイル表示欄５６が自動的にスクロールされる。これにより、ユーザは、サムネイル表示欄５６において、プリントおすすめ画像１２２及び１２４とその周囲に表示された画像を容易に閲覧することができる。そして、サムネイル表示欄５６において、プリントおすすめ画像１２２又は１２４がユーザによってクリックされてプリント候補画像として手動選択されると、プリントおすすめ欄６０が更新されて、選択されたプリントおすすめ画像（１２２又は１２４）は別の画像（例えば、次に状態のよい画像）と差し替えられる。
【００６５】
また、このプリントおすすめ画像１２２又は１２４がマウス３２によりクリックされた状態で、画像を自動選択ボタン１２０がクリックされて自動選択が実行されると、クリックされているプリントおすすめ画像１２２又は１２４が選択された際の選択条件（例えば、登場回数が多い、又は表情に特徴がある）に基づいて、画像が自動選択される。こうして自動選択された画像にも青枠が付される。上記のように、プリントおすすめ画像１２２又は１２４の選択条件により自動選択を行う場合には、ユーザは、枚数指定欄１１４又は割合指定欄１１６により枚数の指定を行うことができる。なお、自動選択を行う前に、枚数の指定が行われていない場合には、枚数の指定を促すメッセージ（例えば、メッセージボックス、枚数指定欄１１４や割合指定欄１１６の強調表示、点滅等）を表示させるようにしてもよい。
【００６６】
本実施形態によれば、ユーザによって指定された自動選択条件等のユーザの嗜好とは別の観点に基づいてプリントおすすめ画像を選択して、ユーザに提示することができる。また、選択フォルダとは別のフォルダからもプリントおすすめ画像を選択してユーザに提示できる。このように、ユーザが選択したもの以外のプリントに適した、又は魅力的な画像をユーザに提示することができるとともに、プリント注文される画像の枚数を増加させる販売促進効果を期待することができる。
【００６７】
次に、ネットプリント画面について、図９及び図１０を参照して説明する。図９は、ネットプリント画面を示す図である。同図に示すネットプリント画面１２６では、サムネイル表示欄５６の下方にプリント選択トレイ１２８が表示される。なお、以下の説明において、図２の基本画面５０と同様の構成については、図２等と同一の符号を付して説明を省略する。
【００６８】
同図に示すプリント選択トレイ１２８には、基本画面５０において自動又は手動により選択された（すなわち、サムネイル表示欄５６において赤枠又は青枠で囲まれた）プリント候補画像１３０が一覧表示（サムネイル表示）される。ネットプリント画面１２６では、上述の基本画面５０と同様に、サムネイル表示欄５６を用いてサムネイル画像７８の選択状態を変更することができる。サムネイル画像７８の選択状態の変更に伴って、プリント選択トレイ１２８内のプリント候補画像１３０が更新される。また、ネットプリント画面１２６では、サムネイル表示欄５６のサムネイル画像７８、又はプリントおすすめ欄６０のプリントおすすめ画像１２２及び１２４をプリント選択トレイ１２８にドラッグすることによってもプリント候補画像１３０を選択できる。
【００６９】
また、同図に示すように、ネットプリント画面１２６では、枚数指定欄１１４にプリント選択トレイ１２８内のプリント候補画像１３０の枚数が表示される。また、フォルダ・カテゴリ欄５４のカテゴリアイコン８０には、各カテゴリにおいて選択されたプリント候補画像１３０の枚数が表示される。
【００７０】
さらに、プリント選択トレイ１２８の上部には、全て選択ボタン１３２、選択を解除ボタン１３４、おすすめ画像をプリント選択トレイに追加ボタン１３６が配置されている。全て選択ボタン１３２は、選択中のフォルダ内の画像を全て選択するためのボタンである。全て選択ボタン１３２がクリックされると、サムネイル表示欄５６において選択フォルダ内の全てのサムネイル画像７８に赤枠が表示されるとともに、全ての画像がプリント選択トレイ１２８に表示される。選択を解除ボタン１３４は、サムネイル表示欄５６において選択されたサムネイル画像７８を未選択状態に戻すためのボタンである。おすすめ画像をプリント選択トレイに追加ボタン１３６は、プリントおすすめ欄６０に表示されたプリントおすすめ画像１２２及び１２４をプリント選択トレイ１２８に移動するためのボタンである。上記のドラッグ操作又はボタン１３６によってプリントおすすめ画像１２２及び１２４がプリント選択トレイ１２８に移動されると、プリントおすすめ欄６０が更新されて、プリントおすすめ画像（１２２又は１２４）が別の画像（例えば、次に状態のよい画像）と差し替えられる。
【００７１】
また、プリント選択トレイ１２８では、プリント候補画像１３０の枚数が増加すると、図１０（ａ）に示すように、プリント候補画像１３０がプリント選択トレイ１２８内に収まるようにサイズが縮小される。このプリント候補画像１３０は所定のサイズ以下には縮小不可能となっている。ここで、所定のサイズとは、画像処理装置１０のモニタ２８に表示された際にユーザによって視認可能な最小サイズであり、モニタ２８の大きさや解像度、表示可能な色の数等に基づいて決定される。そして、この所定のサイズでもプリント選択トレイ１２８に収まらなくなった場合には、図１０（ｂ）に示すようにスクロールバー１３８が表示される。ユーザは、このスクロールバー１３８のスクロールバースライダ１３８Ａをマウス３２によりドラッグしてスライドさせることで、プリント選択トレイ１２８内のプリント候補画像１３０を全て閲覧できる。なお、図１０の例では、上記所定のサイズでもプリント選択トレイ１２８に収まらなくなった場合に、スクロールバー１３８が表示されるようにしたが、例えば、ページ送りボタン等の操作部材により、プリント候補画像１３０を順次表示可能としてもよい。また、図１０に示すようなサムネイルサイズの調整は、他の欄（例えば、フォルダ・カテゴリ欄５４、サムネイル表示欄５６、及びプリントおすすめ欄６０等）にも適用可能である。
【００７２】
図９において、ユーザによって注文手続きへボタン１４０がクリックされると、画像処理装置１０はネットワーク３８を介してプリント注文を受け付けるプリント注文受付サーバ（図示されず）に接続され、プリント注文画面に移行してプリント注文を行うことができる。また、ユーザによってクリアボタン１４２がクリックされると、プリント選択トレイ１２８内のプリント候補画像１３０が全て削除されるとともに、サムネイル表示欄５６においてサムネイル画像７８に付された枠（赤枠又は青枠）が削除されて未選択状態となる。
【００７３】
本実施形態によれば、プリント候補画像の選択を行うサムネイル表示欄５６及びプリントおすすめ欄６０と、プリント選択トレイ１２８を並べて表示できる。これにより、ユーザは、プリント候補画像とその他の画像の参照を容易にできる。また、プリント選択トレイ１２８内のプリント候補画像枚数に応じてサムネイルのサイズをユーザにとって視認可能な程度の所定のサイズまで縮小表示できるため、ユーザはプリント選択トレイ１２８においてプリント候補画像をなるべくスクロールすることなく見ることができる。
【００７４】
次に、プリント注文画面について、図１１を参照して説明する。図１１は、プリント注文画面を示す図である。同図に示すプリント注文画面１４４は、メニュー欄５２、タイトルバー６２のほか、プリント注文枚数指定欄１４６を備える。プリント注文枚数指定欄１４６には、上記図９において選択されたプリント候補画像１３０が表示されており、各プリント候補画像１３０の下部には、プリント注文枚数入力欄１４８が配置されている。なお、プリント注文画面１４４に移行する際には、画像処理装置１０によって各プリント候補画像１３０が解析され、写っている人物の顔１５０の検出が行われる。そして、プリント注文画面１４４に移行した当初の状態において、顔１５０が検出されたプリント候補画像１３０のプリント注文枚数入力欄１４８には検出された顔の数分の枚数が予め入力される。一方、顔１５０が検出されなかったプリント候補画像１３０のプリント注文枚数入力欄１４８には予め１枚と入力される。ユーザは、キーボード３０によりこのプリント注文枚数入力欄１４８の枚数を変更することができる。また、ユーザは、全て１枚ずつプリントボタン１５２をクリックすることにより、全てのプリント候補画像１３０のプリント注文枚数を１枚に設定できる。
【００７５】
そして、ユーザにより注文ボタン１５４がクリックされると、プリント注文受付サーバにプリント候補画像１３０の画像データやプリント注文枚数、プリント代金を決済するための決済情報が送信されてプリント注文が確定する。また、戻るボタン１５６がクリックされると、ネットプリント画面１２６に戻る。
【００７６】
次に、アルバムプリント画面について、図１２を参照して説明する。図１２は、アルバムプリント画面を示す図である。同図に示すアルバムプリント画面１５８は、メニュー欄５２、タイトルバー６２のほか、アルバム編集欄１６０を備える。なお、メニュー欄５２では、アルバムプリントボタン６８が強調表示されている。
【００７７】
同図に示すアルバム編集欄１６０には、アルバムイメージ１６２が表示されている。アルバムイメージ１６２の下方には、アルバムイメージ１６２のコマ送りを行うためのコマ送りボタン１６４が配置されている。このコマ送りボタン１６４は、アルバムイメージ１６２の先頭ページを表示させる先頭ページボタン１６４Ａ、前のページを表示させる１ページ戻るボタン１６４Ｂ、次のページを表示させる１ページ進むボタン１６４Ｃ、及び最終ページを表示させる最終ページボタン１６４Ｄから構成されている。
【００７８】
アルバムイメージ１６２には、上記基本画面５０において選択されたプリント候補画像１３０、及びカテゴリ名が自動的にレイアウトされる。ユーザは、背景変更ボタン１６６によりアルバムイメージ１６２の背景（台紙）１６２Ａの色や模様、紙の質等を選択できる。また、回転ボタン１６８によりプリント候補画像１３０を所望の角度回転させることができる。また、ユーザは、マウス３２によりプリント候補画像１３０の所望の箇所（例えば、所望の箇所を囲む矩形領域、又は複数の点）を選択して、切り抜きボタン１７０をクリックすることにより、プリント候補画像１３０の所望の箇所の切り抜き（トリミング）を行うことができる。また、ユーザは、テキスト編集ボタン１７２によりテキストやカテゴリ名を入力するためのテキスト領域の追加や編集を行うことができる。また、カテゴリ変更ボタン１７４により他のカテゴリの画像から作成されたアルバムイメージ１６２を表示させることができる。また、ユーザは、マウス３２等により所望のプリント候補画像１３０を選択して、画像サイズスイッチ１７６のスライダ１７６Ａをスライドさせることにより、プリント候補画像１３０のサイズを個別に変更できる。
【００７９】
そして、ユーザにより注文ボタン１７８がクリックされると、上記のようにして編集されたアルバムイメージ１６２はプリント注文受付サーバに送信されて、アルバムプリントの注文が確定する。一方、一時保存ボタン１８０がクリックされると、アルバムイメージ１６２が一時保存されて基本画面５０に戻る。これにより、ユーザは、他のカテゴリやフォルダについてアルバムイメージ１６２を編集した後、まとめてアルバムプリントの注文を行うことができる。
【００８０】
次に、カレンダープリント画面について、図１３を参照して説明する。図１３は、カレンダープリント画面を示す図である。同図に示すカレンダープリント画面１８２は、メニュー欄５２、タイトルバー６２のほか、画像選択欄１８４を備える。なお、メニュー欄５２では、カレンダープリントボタン７０が強調表示されている。
【００８１】
画像選択欄１８４には、１月から１２月までのカレンダーに用いられる画像（カレンダー用画像）１８６が表示されている。このカレンダー用画像１８６は、選択フォルダの画像の中から、フォーカス、明るさ、コントラスト、シャープネス、手ブレ等の画像の状態や撮像日時に基づいて、画像処理装置１０によって自動的に選択される。各カレンダー用画像１８６の下方には、画像変更ボタン１８８が配置されている。ユーザは、この画像変更ボタン１８８をクリックすることにより、選択フォルダや他のフォルダ内の他の画像を参照して、カレンダー用画像１８６を変更できる。
【００８２】
なお、このカレンダー用画像１８６の表示サイズは、画像サイズスイッチ１９０のスライダ１９０Ａをマウス３２によりスライドすることにより調整できる。
【００８３】
そして、ユーザにより注文ボタン１９２がクリックされると、上記のようにして選択されたカレンダー用画像１８６が図示せぬプリント注文受付サーバに送信されて、カレンダープリントの注文が確定する。一方、一時保存ボタン１９４がクリックされると、選択されたカレンダー用画像１８６の情報が一時保存されて基本画面５０に戻る。これにより、ユーザは、プリント候補画像１３０やアルバムイメージ１６２の編集を行った後、これらをまとめて注文することができる。また、キャンセルボタン１９６がクリックされると、選択されたカレンダー用画像１８６の情報は保存されずに基本画面５０に戻る。
【００８４】
なお、本実施形態では、プリント注文するプリント候補画像を選択するようにしたが、プリント注文のほかの所定の用途に使用する画像を選択するためにも本発明の画像処理装置１０を適用できる。ここで、画像を使用する用途とは、例えば、所定の記録媒体への記録（メモリカードやＣＤ−ＲＯＭ、ＣＤ−Ｒ／ＲＷ、ＤＶＤ−ＲＯＭ、ＤＶＤ−Ｒ／ＲＷ等への焼き付け）、所定のフォルダ又はカテゴリへの画像のコピー乃至移動、又は前記画像を用いたコンテンツ（例えば、パーソナルコンピュータ（ＰＣ）等のモニタ用の壁紙やスクリーンセーバ、ＰＤＡや携帯電話等の待ち受け画像、ＦＬＡＳＨ（登録商標）、ウェブコンテンツ、電子アルバム、カレンダ）の作成等である。
【００８５】
なお、本実施形態では、本発明の画像処理装置１０がＰＣに適用された例について説明したが、例えば、ミニラボ店やＤＰＥ店等の店頭に設置され、ユーザがセルフサービスでプリントを行うための店頭セルフ端末等にも適用可能である。
【００８６】
また、上述のような処理を行うプログラムを含むソフトウェアやファームウェアをパーソナルコンピュータ（ＰＣ）のほか、ビデオ再生装置（ビデオデッキ、テレビ）やデジタルカメラ、プリンタ、携帯情報端末（ＰＤＡ）、携帯フォトプレーヤー、携帯電話等の画像再生機能を有する装置に適用することにより、本発明の画像処理装置を実現することができる。
【図面の簡単な説明】
【００８７】
【図１】本発明の一実施形態に係る画像処理装置の主要構成を示すブロック図
【図２】基本画面を示す図
【図３】拡大表示画面を示す図
【図４】画像補正画面を示す図
【図５】画像をカテゴリに分類する際の処理の流れを示すフローチャート
【図６】基本画面５０において画像のカテゴリを移動する手順を模式的に示す図
【図７】基本画面５０の画像選択欄５８を説明するための図
【図８】サムネイル画像７８の選択状態を模式的に示す図
【図９】ネットプリント画面を示す図
【図１０】プリント選択トレイ１２８を示す図
【図１１】プリント注文画面を示す図
【図１２】アルバムプリント画面を示す図
【図１３】カレンダープリント画面を示す図
【符号の説明】
【００８８】
１０…画像処理装置、１２…中央処理装置（ＣＰＵ）、１４…バス、１６…主メモリ、１８…ハードディスク装置、２０…ＣＤ−ＲＯＭ装置、２２…カードインターフェース部（カードＩ／Ｆ）、２４…メモリカード、２６…表示メモリ、２８…モニタ装置、３０…キーボード、３２…マウス、３４…マウスコントローラ、３６…通信インターフェース部（通信Ｉ／Ｆ）、３８…ネットワーク、４０…カメラ接続インターフェース部（Ｉ／Ｆ）、４２…撮像装置、５０…基本画面、５２…メニュー欄、５４…フォルダ・カテゴリ欄、５６…サムネイル表示欄、５８…画像選択欄、６０…プリントおすすめ欄、６２…タイトルバー、６４…基本画面ボタン、６６…ネットプリント画面ボタン、６８…アルバムプリント画面ボタン、７０…カレンダープリント画面ボタン、７２…スライドショーボタン、７４…フォトＤＶＤ作成画面ボタン、７６…フォルダアイコン、７８…サムネイル画像、８０…カテゴリアイコン、８２…スクロールバー、８２Ａ…スクロールバースライダ、８４…ライン、８６…サムネイル画像サイズ調整スイッチ、８６Ａ…スライダ、８８…拡大表示画面、９０…画像、９２…拡大表示欄、９４…コマ送りボタン、９６…補正おすすめマーク、９８…画像補正画面、１００…画像補正欄、１０２Ａ…補正おすすめマーク９６が付された画像、１０２Ｂ…画像１０２Ａを補正した後の画像、１０４…上書き保存ボタン、１０６…別名で保存ボタン、１０８…キャンセルボタン、１１０…今後補正おすすめしないボタン、１１２…選択フォルダ名欄、１１４…枚数指定欄、１１６…割合指定欄、１１８…条件指定欄、１２０…自動選択ボタン、１２２、１２４…プリントおすすめ画像、１２６…ネットプリント画面、１２８…プリント選択トレイ、１３０…プリント候補画像、１３２…全て選択ボタン、１３４…選択を解除ボタン、１３６…おすすめ画像をプリント選択トレイに追加ボタン、１３８…スクロールバー、１４０…注文手続きへボタン、１４２…クリアボタン、１４４…プリント注文画面、１４６…プリント注文枚数指定欄、１４８…プリント注文枚数入力欄、１５０…写っている人物の顔、１５２…全て１枚ずつプリントボタン、１５４…注文ボタン、１５６…戻るボタン、１５８…アルバムプリント画面、１６０…アルバム編集欄、１６２…アルバムイメージ、１６４…コマ送りボタン、１６６…背景変更ボタン、１６８…回転ボタン、１７０…切り抜きボタン、１７２…テキスト編集ボタン、１７４…カテゴリ変更ボタン、１７６…画像サイズスイッチ、１７８…注文ボタン、１８０…一時保存ボタン、１８２…カレンダープリント画面、１８４…画像選択欄、１８６…カレンダー用画像、１８８…画像変更ボタン、１９０…画像サイズスイッチ、１９２…注文ボタン、１９４…一時保存ボタン、１９６…キャンセルボタン
【図１】
0004678508.tif 000002
【図２】
0004678508.tif 000003
【図３】
0004678508.tif 000004
【図４】
0004678508.tif 000005
【図５】
0004678508.tif 000006
【図６】
0004678508.tif 000007
【図７】
0004678508.tif 000008
【図８】
0004678508.tif 000009
【図９】
0004678508.tif 000010
【図１０】
0004678508.tif 000011
【図１１】
0004678508.tif 000012
【図１２】
0004678508.tif 000013
【図１３】
0004678508.tif 000014